(57)【要約】【課題】  侵入者が外部から鍵操作部の取り付け位置及び構造について知ることを困難にし、錠の破壊を困難にし得る扉構造体を提供する。【解決手段】  扉本体１に受金具４を付設し、この受金具４に対して、施錠解錠自在なリモコン操作される鍵操作部７を、周囲枠２に設ける。また、扉本体１、及び、周囲枠２には、予め受金具４と鍵操作部７から成る鍵ユニット３を取り付けるための鍵ユニット取付部５が複数箇所配設され、複数箇所の鍵ユニット取付部５から選択的に、鍵ユニット３を取り付ける。【選択図】  図４
2005133391.tif 000002
【特許請求の範囲】
【請求項１】
扉本体（１）に受金具（４）を付設し、この受金具（４）に対して、リモコン操作又は遠隔操作にて施錠解錠自在な鍵操作部（７）を、周囲枠（２）に設けたことを特徴とする扉構造体。
【請求項２】
上記扉本体（１）、及び、上記周囲枠（２）には、予め上記受金具（４）と上記鍵操作部（７）から成る鍵ユニット（３）を取り付けるための鍵ユニット取付部（５）が複数箇所配設され、複数箇所の該鍵ユニット取付部（５）から選択的に、該鍵ユニット（３）を取り付けた請求項１記載の扉構造体。
【発明の詳細な説明】
【技術分野】
【０００１】
本発明は、扉構造体に関する。
【背景技術】
【０００２】
従来、住宅等の扉構造では、ピッキングによる不法侵入犯罪を防ぐための種々の対策がなされている。ピッキングとは、鍵以外の道具で錠を開けることをいう。また、従来、錠の破壊を困難にするため扉に複数の錠を設けたものが知られている（例えば、特許文献１参照）。この特許文献１に開示された扉構造では、平面視長方形の扉本体と、扉本体の外周に沿って設けられる扉枠と、扉本体に設けられた鍵操作部を有する２種類の錠と、を備えている。一方は、扉本体の側面から左右方向に出没する閂片によって施錠するように構成されている。また、他方は、扉本体の上面及び下面から上下方向に出没するロッドによって施錠するように構成されている。そして、これら２種類の錠は、扉本体に独立して設けられた２つの鍵操作部の夫々の鍵穴に鍵を差し込んで回すことにより、独立して施錠解錠される。
【特許文献１】特開２００３−２３９５９３号公報
【発明の開示】
【発明が解決しようとする課題】
【０００３】
しかしながら、上記特許文献１に開示された扉構造では、錠を構成する鍵操作部の取り付け位置が外部から見える構造となっている。そのために、侵入者は、鍵操作部の取り付け位置に迷うことなく、ピッキングにとりかかることが可能となるという問題点がある。また、鍵穴が扉本体に設けられているので、鍵操作部の構造を複雑にしたとしても、その分、侵入者のピッキング技術が向上すれば解錠が可能になるという問題点がある。
【０００４】
そこで、本発明は、侵入者が外部から鍵操作部の取り付け位置及び構造について知ることを困難にし、錠の破壊を困難にし得る扉構造体を提供することを目的とする。
【課題を解決するための手段】
【０００５】
上記の目的を達成するために、本発明に係る扉構造体は、扉本体に受金具を付設し、この受金具に対して、リモコン操作又は遠隔操作にて施錠解錠自在な鍵操作部を、周囲枠に設けるものである。
【０００６】
また、上記扉本体、及び、上記周囲枠には、予め上記受金具と上記鍵操作部から成る鍵ユニットを取り付けるための鍵ユニット取付部が複数箇所配設され、複数箇所の該鍵ユニット取付部から選択的に、該鍵ユニットを取り付けるものである。
【発明の効果】
【０００７】
本発明の扉構造体によれば、侵入者は、鍵ユニットを破壊することが困難になるので、防犯性を向上させることができる。
【発明を実施するための最良の形態】
【０００８】
以下、実施の形態を示す図面に基づき、本発明を詳説する。
【０００９】
図１は、本発明の実施の一形態を示す扉構造体の正面図である。図２は、扉構造体の周囲枠の部分拡大斜視図である。図３は、図１のＡ−Ａ線拡大断面図である。図４は、施錠した状態を示した扉構造体の部分拡大断面図である。図５は、解錠した状態を示した扉構造体の部分拡大断面図である。
【００１０】
本発明に係る扉構造体は、図１及び図３に示すように、扉本体１と、周囲枠２と、受金具４と鍵操作部７から成る２つの鍵ユニット３と、を備えている。
【００１１】
扉本体１は、所定の厚みを有する長方形の板材により成る。この扉本体１の縦方向の一辺は、ヒンジを介して周囲枠２と繋がっており、このヒンジを中心に回転可能となっている。また、扉本体１の外周には、鍵ユニット３を構成する２つ部品のうちの一方である受金具４が２個、夫々所定の位置に配設されている。この受金具４は、矩形状の凹部に形成されている。
【００１２】
また、周囲枠２は、長方形の扉本体１の外周に沿った形状、即ち、平面視長方形となっている。この周囲枠２には、複数（７個）の鍵ユニット取付部５が配設されている。この鍵ユニット取付部５は、鍵ユニット３を構成する２つ部品のうちの一方である鍵操作部７の取り付け又は取り外しを可能にするために設けられている。また、周囲枠２の鍵ユニット取付部５が配設された位置には、図２に示すように、カバー６が周囲枠２に対して脱着可能に設けられている。カバー６は、周囲枠２からカバー６を取り外すことによって、周囲枠２の内部への鍵操作部７の取り付け又は取り外しを行うことが可能なように構成されている。
【００１３】
また、鍵ユニット３は、図１〜図３に示すように、周囲枠２に配設された７個の鍵ユニット取付部５のうち、２箇所に対応する位置に取り付けられている。即ち、鍵ユニット３を構成する受金具４と鍵操作部７のうち、鍵操作部７は、７個の鍵ユニット取付部５のうちの２箇所に配設されている。この鍵操作部７は、縦６cm、横16cm、高さ６cmの直方体にほぼ納まるような大きさに形成されている。また、鍵操作部７は、図２、図４及び図５に示すように、鍵操作部７に設けた４つの孔を、周囲枠２の内部側の面に溶着された植込固定ボルト９ａに挿通させ、調整ナット９ｂ及び締付ナット９ｃを植込固定ボルト９ａに螺合させることにより、周囲枠２の内部に位置固定されている。また、鍵ユニット３を構成する受金具４と鍵操作部７のうち、扉本体１に配設された２個の受金具４は、周囲枠２に配設された２個の鍵操作部７と夫々対向するように位置している。
【００１４】
また、鍵ユニット３を構成する２つ部品のうちの一方である鍵操作部７は、図３〜図５に示すように、リモコン（図示せず）の操作により、又は、遠隔操作により、周囲枠２の扉本体１の外周面と対向する面から扉本体１側に出没可能な矩形状の閂片８を有している。この閂片８は、施錠時に、扉本体１に配設された受金具４に係合するように構成されている。この場合、閂片８のストローク長さは、約 1.5cmほどである。本実施形態では、鍵操作部７の閂片８と扉本体１の受金具４との施錠時の間隙を、調整ナット９ｂの調節により、適度な値に調節することができるように構成されている。
【００１５】
また、閂片８の駆動は、電力により行われるように構成されている。通常時は、交流の商用電源により、閂片８が駆動されるように構成されている。また、本実施形態では、停電時でも扉本体１の開閉を健全に行うことを可能にするために、停電時に直流の非常用電源に切り換わる機構が備わっている（図示せず）。
【００１６】
また、閂片８は、閉じられた状態にある扉本体１が所定の角度だけ開くと同時に、周囲枠２の表面から周囲枠２の内部へ自動的に引き込まれるように構成されている。これにより、居住者は、スムーズに扉の開閉が行うことができる。
【００１７】
本実施形態では、居住者のリモコン（図示せず）の操作によって２つの鍵ユニット３の施錠解錠が行われる。これにより、居住者は、２つの鍵ユニット３の施錠解錠を同時にかつ容易に行うことができる。また、この際、外部から鍵操作部７の閂片８の動作を目視確認することは困難である。このため、本実施形態では、リモコン操作する居住者が音信号により２つの鍵ユニット３の施錠解錠を確認できるようにするための機能が備わっている（図示せず）。あるいは、（図示省略の）遠隔操作盤の操作により、遠隔操作するように構成しても良い。
【００１８】
なお、本実施形態では、鍵ユニット３を、７個の鍵ユニット取付部５のうちの２箇所に配設する例を示したが、本発明はこれに限らず、全ての鍵ユニット取付部５に鍵ユニット３を配設することも可能である。また、本実施形態では、鍵ユニット３のうち、受金具４及び鍵操作部７の閂片８を矩形状に形成したが、本発明はこれに限らず、受金具４及び閂片８を他の形状にしてもよい。例えば、閂片８を鉤状に形成すると共に受金具４をそれに対応する形状に形成してもよい。
【００１９】
また、本実施形態では、扉本体１がヒンジを中心に回転可能に構成される例を示したが、本発明はこれに限らず、引き戸の扉構造体にも適用可能である。
【００２０】
以上のように、本発明の扉構造体によれば、扉本体１に受金具４を付設し、この受金具４に対して、リモコン操作又は遠隔操作にて施錠解錠自在な鍵操作部７を、周囲枠２に設けるので、扉本体１に鍵操作部７を設ける場合と比較して、鍵ユニット３の取り付け位置及び構造を外部から容易に知られないようにすることができる。これにより、侵入者は、鍵ユニット３を破壊することが困難になるので、防犯性を向上させることができる。また、鍵操作部７を、周囲枠２の内部の鍵ユニット取付部５に取り付けるので、外部から鍵操作部７を容易に破壊できないように保護することができる。これにより、防犯性を向上させることができる。
【００２１】
また、扉本体１、及び、周囲枠２には、予め受金具４と鍵操作部７から成る鍵ユニット３を取り付けるための鍵ユニット取付部５を複数箇所配設すると共に、複数箇所の鍵ユニット取付部５から選択的に、鍵ユニット３を取り付けることによって、外部から鍵ユニット３の取り付け位置について想定することをより困難にすることができる。これにより、侵入者は、鍵ユニット３を破壊することがより困難になるので、防犯性を向上させることができる。
【図面の簡単な説明】
【００２２】
【図１】本発明の実施の一形態を示す扉構造体の正面図である。
【図２】扉構造体の周囲枠の部分拡大斜視図である。
【図３】図１のＡ−Ａ線拡大断面図である。
【図４】施錠した状態を示した扉構造体の部分拡大断面図である。
【図５】解錠した状態を示した扉構造体の部分拡大断面図である。
【符号の説明】
【００２３】
１  扉本体
２  周囲枠
３  鍵ユニット
４  受金具
５  鍵ユニット取付部
７  鍵操作部  
【図１】
2005133391.tif 000003
【図２】
2005133391.tif 000004
【図３】
2005133391.tif 000005
【図４】
2005133391.tif 000006
【図５】
2005133391.tif 000007